(57)【要約】【課題】着用しやすく、かつ、背面を大きくあけてもカップ部をバスト位置に保持できるロングブラジャーを提供する。【解決手段】下端位置がウエストラインから下方向へ５ｃｍ〜２０ｃｍの間に位置するロングブラジャーであって、正面側には左右カップ部の下端から前記下端位置まで前身頃部を取り付け、背面側上部には、背面中央で係止具によって開閉される左右ブラジャーバック部を取り付ける一方、背面側下部には、前記前身頃部の左右両端と連続させる下部連続バック部を設け、該下部連続バック部の上端部は前記左右ブラジャーバック部の下側部の肌側に重なる位置とすると共に下端は前記前身頃の下端に連続させている。【選択図】図１
2009263828.tif 000002
【特許請求の範囲】
【請求項１】
下端位置がウエストラインから下方向へ５ｃｍ〜２０ｃｍの間に位置するロングブラジャーであって、
正面側には左右カップ部の下端から前記下端位置まで前身頃部を取り付け、
背面側上部には、背面中央で係止具によって開閉される左右ブラジャーバック部を取り付ける一方、
背面側下部には、前記前身頃部の左右両端と連続させる下部連続バック部を設け、該下部連続バック部の上端部は前記左右ブラジャーバック部の下側部の肌側に重なる位置とすると共に下端は前記前身頃の下端に連続させていることを特徴とするロングブラジャー。
【請求項２】
前記左右ブラジャーバック部の下側部と前記下部連続バック部の上側部は、前記前身頃部の脇側縫着部で１ｃｍ〜１０ｃｍの範囲で重ね、左右ブラジャーバック部の背面側中央が係止された状態で、該背面中央で前記下部連続バック部と２ｃｍ〜６ｃｍの範囲で重ねている請求項１に記載のロングブラジャー。
【請求項３】
前記左右カップ部の脇側上辺と前記前身頃部の脇側上辺を介して連続する前記左右ブラジャーバック部の上辺は、左右カップ部の上辺の傾斜ラインと連続した下向き傾斜ラインとする一方、該左右ブラジャーバック部の下辺は前記上辺の傾斜角度よりは小さい角度の上向き傾斜ラインとし、
背面中央の前記係止具を備えた左右分離端は、未係止状態でハ字状に開く形状とし、かつ、左右分離端には上下１段以上５段以下で前記係止具を取り付けている請求項１または請求項２に記載のロングブラジャー。
【請求項４】
前記左右カップ部の上部と前記左右ブラジャーバック部の上部に、左右ストラップを着脱自在に取り付ける係止具を取り付け、ストラップを取り付けていない状態で前記左右ブラジャーバック部による背面側への引張力で前記左右カップ部をバストに保持できると共に、左右カップ部は自立保形力を有する構成としている請求項１乃至請求項３のいずれか1項に記載のロングブラジャー。
【請求項５】
前記下部連続バック部の左右両側部の上部に緊締力のある裏打ち布を取り付け、かつ
前記前身頃部の上側部および下側中央部に緊締力のある裏打ち布を取り付け、
さらに、該前身頃部の内面に、左右脇線ラインに沿って上端から下端まで延在する脇側ボーンを取り付けていると共に、前記左右カップ部の下端中央から前身頃部の下端にかけて左右一対の中央側ボーンを取り付けている請求項１乃至請求項４のいずれか1項に記載のロングブラジャー。
【発明の詳細な説明】
【技術分野】
【０００１】
本発明は、ロングブラジャーに関し、詳しくは、バストからウエスト下部にかけてのボディラインの補整機能を高めつつ、着脱も容易に行えるものである。
【背景技術】
【０００２】
従来より、バストを安定保持しつつバストからウエスト下部にかけてのボディラインを整えることを目的として、左右カップ部の下端にウエストライン側へと延長させたロングブラジャーが提案されている。
例えば、特開２００２−１６１４０４号公報（特許文献１）には、ウエストニッパーの機能を兼備させたロングブラジャーが提供されている。該ロングブラジャー１は、図４に示すように、上端に左右カップ部２が取り付けられた前身頃部（フロントボディ部）３をウエスト下部まで延在させると共に、背面側の左右バック部４も同様にウエスト下部まで延在させ、左右バック部４の背面中央の分離端に取り付けられた多数の係止具（図示せず）を係止させることにより着用される。
【０００３】
しかし、前記ロングブラジャー１を着脱するためには、ウエスト下部にまで至る長尺の左右バック部４に取り付けられた多数の係止具を係止したり、係止を解除したりする必要があり、着脱に手間がかかると共に、着用者だけで係止具を着脱しにくく、他の人の手が必要となる等の問題がある。
【０００４】
【特許文献１】特開２００２−１６１４０４号公報
【発明の開示】
【発明が解決しようとする課題】
【０００５】
本発明は前記問題に鑑みてなされたものであり、バストからウエスト下部にかけてのボディラインを美しく補整可能とすると共に、ストラップを取り外してストラップ・レスとした場合にもカップ部をバストに保持する保持力が強く、かつ、着脱も一人で容易に行えることを課題としている。
【課題を解決するための手段】
【０００６】
前記課題を解決するため、本発明は、下端位置がウエストラインから下方向へ５ｃｍ〜２０ｃｍの間に位置するロングブラジャーであって、
正面側には左右カップ部の下端から前記下端位置まで前身頃部を取り付け、
背面側上部には、背面中央で係止具によって開閉される左右ブラジャーバック部を取り付ける一方、
背面側下部には、前記前身頃部の左右両端と連続させる下部連続バック部を設け、該下部連続バック部の上端部は前記左右ブラジャーバック部の下側部の肌側に重なる位置とすると共に下端は前記前身頃の下端に連続させていることを特徴とするロングブラジャーを提供している。
【０００７】
本発明のロングブラジャーは、バック側において、背面中央で係止具によって開閉される分離した左右ブラジャーバック部と、その下部の連続した下部連続バック部とに分けていることを特徴としている。
即ち、左右分離したバック部を後身頃側の下端まで延在させず、通常のブラジャーと同様に、背面側の上部にのみ配置し、背面側の下部には連続した下部連続バック部を設け係止具による係脱を不要としている。
このように、ブラジャーバック部を下部連続バック部と分離しているため、バストを安定保持するために最適な締め付け力を前記左右ブラジャーバック部で持たすことができ、
バストをより安定した状態で保持することができ。したがって、ストラップ・レスとしても、カップ部をバスト位置に保持することができる。
【０００８】
また、本発明のロングブラジャーでは、下部連続バック部の上端位置を左右ブラジャーバック部の下側部と重なる位置とし、屈曲姿勢になっても、左右ブラジャーバック部で覆われた部分と下部連続バック部で覆われた部分との間に肌が露出されない構造としている。したがって、肌が露出し該部分の贅肉が膨出することによって生じる段差も前記構成により効果的に防止され、滑らかで引き締まった背中のラインを形成させることができる。
即ち、前記構成のロングブラジャーによれば、バストを安定保持し立体的なバストラインを保つブラジャーとしての機能を高めると共に、アンダーバストからウエスト下部にかけてのボディラインも美しく補整することが可能となる。
【０００９】
また、本発明のロングブラジャーでは、前身頃部の左右両端と連続させる下部連続バック部を背面側下部に設けているため、背面側上部の前記左右ブラジャーバック部の係止を解除して下からはくステップインが可能となる。このように、ステップインで着用した後に、通常のブラジャー着用時と同様に、左右ブラジャーバック部に取り付けられた少数の係止具を係止するだけで簡単に着用でき、ロングブラジャーを一人でも容易に着脱することが可能となる。
【００１０】
ロングブラジャーの下端位置は、前記のように、ウエストラインから下方向へ５ｃｍ〜２０ｃｍの間に位置させているため、バストからウエスト下部にかけてのボディラインの補整が可能となる。即ち、ロングブラジャーの下端位置がウエストラインから下方向へ５ｃｍの位置より上方にある場合には、ウエスト下部である腹部周りの補整が十分にできなくなる一方、前記下端位置がウエストラインから下方向に２０ｃｍを超える位置にある場合には、下腹部への圧迫が強くなり着用感が悪化するおそれがある。
【００１１】
前記左右ブラジャーバック部の下側部と前記下部連続バック部の上側部は、前記前身頃部の脇側縫着部で１ｃｍ〜１０ｃｍの範囲で重ね、左右ブラジャーバック部の背面側中央が係止された状態で、該背面中央で前記下部連続バック部と２ｃｍ〜６ｃｍの範囲で重ねている。
特に、脇側縫着部で５ｃｍ程度、左右分離端で３ｃｍ程度重ねていることが好ましい。
【００１２】
左右ブラジャーバック部の下側部と下部連続バック部の上側部との重なりが、前身頃部の脇側縫着部で１ｃｍ未満、左右ブラジャーバック部の背面側中央の左右分離端で６ｃｍ未満であると、重なり部分が小さすぎて、屈曲時に左右ブラジャーバック部下端と下部連続バック部上端との間に肌が露出して段差が生じるおそれがある。
一方、左右ブラジャーバック部の下側部と下部連続バック部の上側部との重なりが、前身頃部の脇側縫着部で１０ｃｍを超え、左右ブラジャーバック部の背面側中央の左右分離端で３ｃｍを超えると、重なり部分が大きすぎて厚ぼったくなり、すっきりした背中のラインを形成しにくくなる。
なお、重なり部分の厚み感を低減させアウターにひびきにくくするために、左右ブラジャーバック部の下辺をヘム始末することが好ましい。
【００１３】
左右ブラジャーバック部の下辺の脇側位置は、ウエストラインから上方向へ５ｃｍから下方向へ５ｃｍの間に設定することが好ましく、ジャストウエスト０ｃｍの位置とすることが最も好ましい。
また、下部連続バック部の上辺の脇側位置は、ウエストラインから上方向へ１０ｃｍからジャストウエスト０ｃｍまでの間に設定することが好ましく、ウエストラインから上方向へ５ｃｍ程度の位置とすることが最も好ましい。
【００１４】
前記左右カップ部の脇側上辺と前記前身頃部の脇側上辺を介して連続する前記左右ブラジャーバック部の上辺は、左右カップ部の上辺の傾斜ラインと連続した下向き傾斜ラインとする一方、該左右ブラジャーバック部の下辺は前記上辺の傾斜角度よりは小さい角度の上向き傾斜ラインとし、
背面中央の前記係止具を備えた左右分離端は、未係止状態でハ字状に開く形状とし、かつ、左右分離端には上下１段以上５段以下で前記係止具を取り付けていることが好ましい。
【００１５】
前記のように、左右ブラジャーバック部の背面中央の左右分離端を、未係止状態でハ字状に開く形状として下部連続バック部と寸法差を持たせておくことにより、前記左右分離端の係止時にブラジャーバック部の下辺の引張力を強めることができ、カップ部の保持力を高め、ストラップ・レスとしても、カップ部をバスト位置に安定して保持することができる。
【００１６】
特に、前記のように、左右ブラジャーバック部の上辺を、左右カップ部上辺の傾斜ラインと連続した下向きの傾斜ラインとすることにより、前記左右分離端の係止状態において左右カップ部が背面側に引っ張られてバストに密着した状態となるため、背面を大きく露出できるようにしたブラジャーバック部としても、左右カップ部のカップ浮きやズレなどを防止することができる。その結果、背面を大きく露出させるアウターを着用する場合に特に好適なロングブラジャーとなる。
さらに、前記のように、左右ブラジャーバック部の下辺を前記上辺の傾斜角度より小さい角度で上向き傾斜させることにより、前記下部連続バック部との重なり部分を確保して背中の引き締めも同時に行うことができる。
【００１７】
また、前記のように、左右ブラジャーバック部の左右分離端に上下１段以上５段以下で前記係止具を取り付けることにより、左右カップ部に適度な引張力を加えてバストを安定保持することが可能となる。係脱を容易とするためには、２段以上４段以下、特に３段が好ましい。
特に、前記左右ブラジャーバック部の分離端の一方にフック、他方にフックが係止される係止環とからなる前記係止具を取り付けることが好ましく、前記フックおよび係止環を縦５ｃｍ〜６ｃｍの範囲に上下２段以上４段以下取り付けると共に、引張力の調節ができるように、前記係止環を巾４ｃｍ〜５ｃｍの範囲に３列取り付けていることがより好ましい。
【００１８】
前記左右カップ部の上部と前記左右ブラジャーバック部の上部に、左右ストラップを着脱自在に取り付ける係止具を取り付けている。しかしながら、ストラップを取り付けていない状態で、前記のように、左右ブラジャーバック部による背面側への引張力で前記左右カップ部をバストに保持できると共に、左右カップ部は自立保形力を有する構成としている。
【００１９】
よって、背中の大きく開いたウエディングドレスやイブニングドレスなどを着用する際のインナーとして、ストラップを取り外した本発明のロングブラジャーを好適に着用することができる。この際、前記のように左右ブラジャーバック部による背面側への引張力で前記左右カップ部をバスト位置に保持できると共に、左右カップ部は自立保形力を有する構成としておくことで、ストラップレスであっても動作時の着崩れ等を防止して立体的で美しいバストラインを保つことができる。
【００２０】
前記左右ストラップを着脱自在に取り付ける係止具としては特に限定されないが、例えば、左右カップ部の上部および左右ブラジャーバック部の上部に取り付けた筒部に着脱自在に挿入できる挿入片を備えた巳字状金具などが好ましい。
【００２１】
また、左右カップ部に自立保形力を付与するために、例えば、左右カップ部を不織布、発泡ポリウレタン、ダブルラッセル等の弾性を有する材料（クッション材）を用いて形成し、左右カップ部の脇側上端から最下点を通って内側上端に至るラインに沿って半円弧状のカップワイヤを取り付けることが好ましい。
【００２２】
前記下部連続バック部の左右両側部の上部に緊締力のある裏打ち布を取り付け、かつ
前記前身頃部の上側部および下側中央部に緊締力のある裏打ち布を取り付け、
さらに、該前身頃部の内面に、左右脇線ラインに沿って上端から下端まで延在する脇側ボーンを取り付けていると共に、前記左右カップ部の下端中央から前身頃部の下端にかけて左右一対の中央側ボーンを取り付けていることが好ましい。
【００２３】
前記のように、左右ブラジャーバック部の下側部と重ねられる前記下部連続バック部の左右両側部の上部に緊締力のある裏打ち布を取り付けて該部分を押さえることにより、段差の発生を一層効果的に防止することができる。
また、前記のように、前身頃部の上側部および下側中央部に緊締力のある裏打ち布を取り付けると共に、前身頃部の内面に前記脇側ボーンおよび左右一対の中央側ボーンを取り付けておくことで、よりほっそりとしたウエストラインを形成して立体的で豊かなバストを強調することができる。
【００２４】
緊締力のある裏打ち布としては、特に限定されないが、例えば、織物としては平織物、綾織物、朱子織物などが挙げられ、編物としては、トリコット編物、ラッセル編物、天竺編物、フライス編物、スムース編物などが挙げられる。
【００２５】
また、ボーンとしては、例えば、扁平形状の金属製ボーンを用いることができるが、断面は真円形状としてもよく、ジュラコン、ＰＰＳ、樹脂製などのボーンを用いてもよい。
【発明の効果】
【００２６】
前述したように、本発明によれば、背面中央で係止具によって開閉される左右ブラジャーバック部を、ロングブラジャー本体の下部連続バック部とは分離して背面側上部に取り付けているため、バストを安定保持するために最適な締め付け力を前記左右ブラジャーバック部から左右カップ部に与えることができる。よって、バストを安定した状態で保持できる。
【００２７】
また、前記のように、前身頃部の左右両端と連続させる下部連続バック部を背面側下部に設けているため、背面側上部の前記左右ブラジャーバック部の係止を外して下からはくステップインが可能となり、その後、通常のブラジャー着用時と同様に、左右ブラジャーバック部に取り付けられた少数の係止具を係止するだけで簡単に着用することができる。また、脱衣も同様に容易に行える。
【００２８】
さらに、前記のように、下部連続バック部の上端位置を左右ブラジャーバック部の下側部の肌側に重なる位置とし、ロングブラジャー着用時に左右ブラジャーバック部で覆われた部分と下部連続バック部で覆われた部分との間に肌が露出されない構造としているため、肌の露出によって生じる段差を効果的に防止し、滑らかで引き締まった背中のラインを形成することができる。
即ち、本発明のロングブラジャーによれば、バストを安定保持し立体的なバストラインを保つブラジャーとしての機能を高めると共に、アンダーバストからウエスト下部にかけてのボディラインも美しく補整することが可能となる。
【発明を実施するための最良の形態】
【００２９】
以下、本発明の実施形態を図面を参照して説明する。
図１乃至図３に、本発明の実施形態に係るロングブラジャー１０を示す。
ロングブラジャー１０は、バストを覆う左右カップ部１１と、左右カップ部１１の下端に取り付ける前身頃部１２と、背面側上部の左右ブラジャーバック部１３と、背面側下部の下部連続バック部１４を備えている。
【００３０】
背面側上部の左右ブラジャーバック部１３は、背面中央の左右分離端１３ａに取り付けた係止具１６によって開閉できるようにしている。左右ブラジャーバック部１３の上辺１３ｄを、前身頃部１２の脇側上辺１２ｄを介して左右カップ部１１の上辺１１ｄの傾斜ラインと連続させた下向きの傾斜ラインとしている。また、左右ブラジャーバック部１３の下辺１３ｅの脇側位置をウエストラインＷＬから本実施形態では約１ｃｍ上方とし、下辺１３ｅを上辺１３ｄの傾斜角度より小さい角度の上向きの傾斜ラインとしている。
【００３１】
背面側下部の下部連続バック部１４は、前身頃部１２の左右脇線ライン１２ｆに連続させ、下部連続バック部１４の下辺１４ｅを前身頃部１２の下辺１２ｅと連続させている。本実施形態のロングブラジャー１０では、下辺１４ｅ（１２ｅ）の脇側位置をウエストラインＷＬから１０ｃｍ下方とすると共に、下部連続バック部上辺１４ｄの脇側位置をウエストラインＷＬから５ｃｍ上方としている。下部連続バック部１４は３枚の布（中央布１４ａおよびサイド布１４ｂ、１４ｃ）を縫着して形成している。
【００３２】
左右ブラジャーバック部１３の下側部［図１（Ｂ）の斜線部分］１３Ａが、下部連続バック部１４の上側部１４Ａの上面（外側）に重なるように、左右ブラジャーバック部１３および下部連続バック部１４を前身頃部１２の脇側縫着部（脇線ライン）１２ｆに縫着している。下部連続バック部１４の上側部１４Ａと左右ブラジャーバック部１３の下側部１３Ａの重なり長さは、前身頃部１２の脇側縫着部１２ｆで５．５ｃｍ、左右ブラジャーバック部１３の背面中央の左右分離端１３ａで２．５ｃｍとしている。
また、本実施形態では重なり部分の厚み感を低減しアウターにひびきにくくするために、左右ブラジャーバック部１３の下辺１３ｅをヘム始末している。
【００３３】
左右ブラジャーバック部１３の左右分離端１３ａは、未係止状態でハ字状として下向きに開く形状としている。また、左右分離端１３ａの係止具１６として、一方の分離端１３ａにフック１６ａを、他方の分離端１３ａにフック１６ａが係止される係止環１６ｂを取り付けており、本実施形態においては、フック１６ａおよび係止環１６ｂを縦５．５ｃｍの範囲に上下３段取り付け、さらに係止環１６ｂを巾５．５ｃｍの範囲に３列取り付けている。
【００３４】
前身頃部１２上端のバージスラインに沿って縫着される左右カップ部１１は、クッション材を挟んで表側布と裏側布とで一体化した上カップ部１１ａと下カップ部１１ｂ、１１ｃを縫着して構成している。また、左右カップ部１１の脇側上端１１ｄ−１から最下点Ｐを通って内側上端１１ｄ−２に至る下辺ライン１１ｅに沿って、樹脂製あるいは金属製の半円弧状のカップワイヤ１７を取り付けている。該カップワイヤ１７は肌当たりをやわらげるためにバイアステープで覆った状態で、カップワイヤ１７を前身頃部１２および左右カップ部１１に一体的に縫着している。本実施形態においては、左右カップ部１１の最下点ＰからウエストラインＷＬまでの長さを９．５ｃｍとしている。
【００３５】
左右カップ部１１の上辺１１ｄと左右ブラジャーバック部１３の上辺１３ｄには、図２（Ａ）に示すように、左右ストラップ１５を着脱自在に取り付ける係止具１８ａを取り付けている。本実施形態においては、ゴムテープを環状に形成した筒部１８ａを左右カップ部１１の上辺１１ｄと左右ブラジャーバック部１３の上辺１３ｄに取り付ける一方、着脱自在に取り付ける左右ストラップ部１５の両端には、筒部１８ａに挿入される挿入片を備えた巳字状金具１８ｂを取り付けている（図３参照）。
【００３６】
前身頃部１２は、３枚の布（中央布１２ａおよびサイド布１２ｂ、１２ｃ）を縫着して形成し、前身頃部１２の上側部から下側中央部にかけての部分［図２（Ａ）の斜線部分］に緊締力のある裏打ち布１９ａを取り付けている。
さらに、前身頃部１２の内面には、左右一対の脇側ボーン１９および左右一対の中央側ボーン２０を取り付けている。脇側ボーン２０は左右脇線ライン１２ｆに沿って上端から下端まで延在させる一方、中央側ボーン２１は、左右カップ部１１の下端中央（最下点Ｐ）から前身頃部１２の下端までのライン、即ち、本実施形態では前身頃部１２の中央布１２ａとサイド布１２ｂ、１２ｃとの縫着ラインに沿って取り付けている。脇側ボーン２０および中央側ボーン２１はバイアステープで覆った状態で縫着しており、脇側ボーン２０および中央側ボーン２１として、本実施形態においては扁平形状の金属製ボーンを用いている。
【００３７】
また、左右ブラジャーバック部の下側部１３Ａと重ねられる下部連続バック部１４の左右両側部の上部［図２（Ｂ）の斜線部分］に緊締力のある裏打ち布１９ｂを取り付けている。なお、本実施形態では、前身頃部１２および下部連続バック部１４に取り付ける裏打ち布１９ａ、１９ｂとして、パワーネットを用いている。
【００３８】
本実施形態では、前身頃部１２、左右ブラジャーバック部１３および下部連続バック部１４を形成する素材として、伸縮性のあるツーウエイラッセルを用いている。また、左右カップ部１１の表布の素材としてはダブルトリコットを用いている。さらに、左右カップ部、前身頃部１２、左右ブラジャーバック部１３および下部連続バック部１４のすべての端縁に沿ってゴムテープを取り付けていると共に、各布同士の縫着部にもバイアステープを取り付けている。
【００３９】
前記のように、背面中央で係止具１６ａ、１６ｂによって開閉される左右ブラジャーバック部１３を、ロングブラジャー１０の下部連続バック部１４と分離して背面側上部に取り付けているため、バストを安定保持するために最適な締め付け力を左右ブラジャーバック部１３から左右カップ部１１に与えることができる。よって、バストを安定した状態で保持できる。
【００４０】
また、前記のように、前身頃部１２の左右両端と連続させる下部連続バック部１４を背面側下部に設けているため、背面側上部の左右ブラジャーバック部１３の係止を外して下からはくステップインが可能となる。ステップインで着用後は、通常のブラジャー着用時と同様に、左右ブラジャーバック部１３に取り付けられた少数の係止具１６ａ、１６ｂを係止するだけで簡単に着用することができる。また、脱衣も同様に容易に行える。
【００４１】
さらに、前記のように、下部連続バック部１４の上側部１４Ａを左右ブラジャーバック部１３の下側部１３Ａと重なる位置とし、ロングブラジャー１０着用時に左右ブラジャーバック部１３で覆われた部分と下部連続バック部１４で覆われた部分との間に肌が露出されない構造としているため、肌の露出によって生じる段差を効果的に防止し、滑らかで引き締まった背中のラインを形成することができる。
即ち、本発明のロングブラジャー１０によれば、バストを安定保持し立体的なバストラインを保つブラジャーとしての機能を高めると共に、アンダーバストからウエスト下部にかけてのボディラインも美しく補整することが可能となる。
【００４２】
また、前記のように、左右ブラジャーバック部１３の左右分離端１３ａを、未係止状態でハ字状に開く形状としているため、左右分離端１３ａを係止すると、左右ブラジャーバック部による背面側へに引っ張り力を強めることでき、左右カップ部をバスト位置に保持する力を高まり、バストの安定して保持できる。
特に、左右ブラジャーバック部１３の上辺１３ｄを、左右カップ部上辺１１ｄの傾斜ラインと連続した下向きの傾斜ラインとして背面側を大きくあけているが、左右分離端１３ａの係止状態において、左右カップ部が背面側に引っ張られてバストに密着した状態となるため、ストラップ・レスとしても、左右カップ部１１のカップ浮きやズレなどを防止することができる。よって、背中の大きく開いたウエディングドレスやイブニングドレスなどを着用する際のインナーとして、ストラップレスで着用することができる。この際、動作時の着崩れ等もなく、立体的で美しいバストラインを保つことができる。
【００４３】
さらに、前記のように、左右ブラジャーバック部１３の下辺１３ｅを上辺１３ｄの傾斜角度より小さい角度で上向き傾斜させることにより、下部連続バック部１４との重なり部分を確保して背中の引き締めも同時に行うことができる。
【００４４】
また、前記のように、左右ブラジャーバック部１３の下側部１３Ａと重ねられる下部連続バック部１４の左右両側部の上部に緊締力のある裏打ち布１９ｂを取り付けて該部分を押さえることにより、段差の発生を一層効果的に防止することができる。また、前身頃部１２の上側部および下側中央部に緊締力のある裏打ち布１９ａを取り付けると共に、前身頃部１２の内面に左右一対の脇側ボーン２０および中央側ボーン２１を取り付けておくことで、よりほっそりとしたウエストラインを形成して立体的で豊かなバストを強調することができる。
【図面の簡単な説明】
【００４５】
【図１】（Ａ）は本実施形態のロングブラジャーの概略斜視図、（Ｂ）はロングブラジャーの背面図である。
【図２】（Ａ）はロングブラジャーの左右カップ部、前身頃部および左右ブラジャーバック部の内面側を示す概略図、（Ｂ）はロングブラジャーの下部連続バック部の内面側を示す概略図である。
【図３】左右ストラップを着脱自在に取り付ける係止具を示す図である。
【図４】従来例を示す図面である。
【符号の説明】
【００４６】
１０  ロングブラジャー
１１  左右カップ部
１１ａ  上カップ部
１１ｂ、１１ｃ  下カップ部
１１ｄ  上辺
１１ｅ  下辺
１２  前身頃部
１２ｄ  脇側上辺
１２ｅ  下辺
１２ｆ  左右脇線
１３  左右ブラジャーバック部
１３ａ  左右分離端
１３ｄ  上辺
１３ｅ  下辺
１３Ａ  （左右ブラジャーバック部の）下側部
１４  下部連続バック部
１４ｄ  上辺
１４ｅ  下辺
１４Ａ  (下部連続バック部の)上側部
１５  左右ストラップ
【図１】
2009263828.tif 000003
【図２】
2009263828.tif 000004
【図３】
2009263828.tif 000005
【図４】
2009263828.tif 000006